(57)【要約】【課題】側パネル折り畳み状態での段積みを安定的に行える搬送用ボックスパレットを提供する。【解決手段】側パネルを底パネル１上に折り畳んだとき、段積みされる上側パレットの脚体３ａ，３ｂを支持する露出スペース１０ａ，１０ｂを底パネル１の上側各角部に形成するための貫通領域が側パネルに設けられ、脚体３ａ，３ｂは、底パネル１の前後方向部材１６ａの両端近傍位置に結合されている左右方向部材溝形材１７ａ，１７ｂの端部下側に固着され、側パネル折り畳み状態での段積み時の上側パレットの脚体３ａ，３ｂが底パネル１の露出スペース１０ａ，１０ｂ内で左右方向部材１７ａ，１７ｂの端部の上側に位置するように構成されている。【選択図】図７
2005075364.tif 000002
【特許請求の範囲】
【請求項１】
矩形の底パネルの周囲に当該底パネル上に折り畳み可能な側パネルが立設されると共に、底パネルの下側各角部に、段積み時に下側パレットの側パネルの上辺で支持させることができる脚体が突設され、側パネルを底パネル上に折り畳んだとき、段積みされる上側パレットの前記脚体を支持する露出スペースを底パネルの上側各角部に形成するための貫通領域が側パネルに設けられている段積み可能な搬送用ボックスパレットであって、底パネルは、左右両側辺に沿って配置された左右一対の前後方向部材と、両前後方向部材を少なくとも両端近傍位置で互いに連結する複数本の左右方向部材と、これら部材の上に敷設されたメッシュパネル材とから成り、前記脚体は、前記前後方向部材の両端近傍位置に結合されている左右方向部材の端部下側に固着され、側パネル折り畳み状態での段積み時の上側パレットの脚体が底パネルの上側各角部の前記露出スペース内で前記左右方向部材の端部の上側に位置するように構成された、段積み可能な搬送用ボックスパレット。
【請求項２】
前記底パネルは、左右両側辺に沿って配置された左右一対の前後方向部材と、両前後方向部材を少なくとも両端近傍位置で互いに連結する複数本の左右方向部材と、これら部材の上に敷設されたメッシュパネル材とから成り、底パネルの上側各角部の前記露出スペースには、脚体支持用プレートが敷設されている、請求項１に記載の段積み可能な搬送用ボックスパレット。
【請求項３】
側パネルの前記貫通領域は、側パネルの角部内側の窓部で形成されている、請求項１又は２に記載の段積み可能な搬送用ボックスパレット。
【発明の詳細な説明】
【技術分野】
【０００１】
本発明は、底パネルの下側各角部に段積みに利用できる脚体が配設された段積み可能な搬送用ボックスパレットに関するものである。
【背景技術】
【０００２】
段積み可能な搬送用ボックスパレットとして、矩形の底パネルの周囲に前記底パネル上に折り畳み可能な側パネルが立設されると共に、底パネルの下側各角部に、段積み時に下側パレットの側パネルの上辺で支持させることができる脚体を突設した段積み可能な搬送用ボックスパレットが、例えば特許文献１などにより知られている。
【特許文献１】実開平４−６５７３２号公報
【発明の開示】
【発明が解決しようとする課題】
【０００３】
この種のボックスパレットにおける脚体を利用する段積みのための構成は、底パネルの周囲の側パネルが組み立てられた使用状態において最適化されたものであり、側パネルを底パネルの上に折り畳んだ非使用状態での段積みを考慮したものではなかった。即ち、側パネルを底パネルの上に折り畳んだ非使用状態では、側パネルが底パネルの上側全面を覆っている状態であるから、この折り畳み非使用状態でパレットを段積みした場合、上側パレットの各脚体が下側パレットの各脚体の真上位置で折り畳まれた側パネルの上に載ることになり、上側パレットの脚体を位置決めする手段が下側パレットに存在しないため、上側パレットの少しの動きだけで上側パレットの脚体が下側パレット上から脱落するなど、非常に不安定な状態で段積みされることになる。又、側パネルのサイズ（形状）によっては、折り畳み非使用状態での各脚体の真上位置の表面（折り畳まれた側パネルの表面）の高さが均等でなく段差が生じるので、このような場合には、一層不安定な段積み状態となる。
【０００４】
勿論、該当する特許文献を開示することはできないが、折り畳み非使用状態での安定的な段積みを可能にするために、各脚体に上側パレットの各脚体を支持する特殊な支持部材を取り付けることも試みられているようであるが、この場合、単にコストアップにつながるだけでなく、通常の使用時に前記支持部材が邪魔になる恐れもある。
【課題を解決するための手段】
【０００５】
本発明は上記のような従来の問題点を解消し得る段積み可能な搬送用ボックスパレットを提供することを目的とするものであって、その手段を後述する実施形態の参照符号を付して示すと、矩形の底パネル１の周囲に当該底パネル１上に折り畳み可能な側パネル２Ａ〜２Ｄが立設されると共に、底パネル１の下側各角部に、段積み時に下側パレットの側パネル２Ｂ，２Ｃの上辺で支持させることができる脚体３ａ〜４ｂが突設され、側パネル２Ａ〜２Ｄを底パネル１上に折り畳んだとき、段積みされる上側パレットの前記脚体３ａ〜４ｂを支持する露出スペース１０ａ〜１１ｂを底パネル１の上側各角部に形成するための貫通領域１２ａ〜１５ｂが側パネル２Ａ〜２Ｄに設けられた段積み可能な搬送用ボックスパレットであって、底パネル１が、左右両側辺に沿って配置された左右一対の前後方向部材（溝形材１６ａ，１６ｂ）と、両前後方向部材（溝形材１６ａ，１６ｂ）を少なくとも両端近傍位置で互いに連結する複数本の左右方向部材（溝形材１７ａ，１７ｂ）と、これら部材の上に敷設されたメッシュパネル材１９とから構成されている場合、前記脚体３ａ〜４ｂは、前記前後方向部材（溝形材１６ａ，１６ｂ）の両端近傍位置に結合されている左右方向部材（溝形材１７ａ，１７ｂ）の端部下側に固着し、側パネル折り畳み状態での段積み時の上側パレットの脚体３ａ〜４ｂが底パネル１の上側各角部の前記露出スペース１０ａ〜１１ｂ内で前記左右方向部材（溝形材１７ａ，１７ｂ）の端部の上側に位置するように構成されている。
【０００６】
上記構成の本発明を実施するについて、底パネル１の上側各角部の前記露出スペース１０ａ〜１１ｂに脚体支持用プレート３３を敷設することができる。勿論この場合も、前記脚体支持用プレート３３の上に載置される上側パレットの各脚体３ａ〜４ｂが底パネル１の前記左右方向部材（溝形材１７ａ，１７ｂ）の端部の上側に位置するように構成することができる。又、側パネル２Ａ〜２Ｄに設けられる前記貫通領域１２ａ〜１５ｂは、側パネル２Ａ〜２Ｄの角部の切り欠きや側パネル２Ａ〜２Ｄの角部内側に形成した窓部によって構成することもできる。
【発明の効果】
【０００７】
本発明は以上のように実施し且つ使用することが出来るものであって、係る本発明の段積み可能な搬送用ボックスパレットによれば、側パネル折り畳み状態でのパレットの段積み時に、上側パレットの各脚体を下側パレットの底パネルで直接支持させることができ、側パネルがメッシュパネル材で構成されている場合でも、この折り畳まれた側パネル上で上側パレットの脚体を支持させるものと比較して、安定的に段積みすることができる。しかも、当該段積み状態における上側パレットの各脚体の下端の内側には、下側パレットの前記露出スペースを形成する各側パネルの貫通領域の内側辺が隣接し、上側パレットの各脚体を前記露出スペース内に位置決めすることになるので、上側パレットが下側パレットに対して横滑りして脱落するような恐れは皆無であり、側パネル折り畳み状態で安全に段積みできる。更に、側パネルに貫通領域を設ける結果、全体の軽量化も図ることができる。
【０００８】
又、側パネル折り畳み状態での段積み時に、上側パレットからの荷重を下側パレットの底パネルにおける強度部材である左右方向部材の端部で受けさせることができ、当該段積み時に前記メッシュパネル材の線材を曲げ変形させてしまう恐れが解消する。この結果、側パネル折り畳み状態の空パレットの多段積みを安全に行える。又、２本の左右方向部材の端部中間に脚体を挟んで固着する構造と比較して、当該２本の左右方向部材の内、外側の１本の左右方向部材の位置を変えないで当該１本の左右方向部材の端部下側に脚体を取り付けた場合、脚体の位置を底パネルの前後両側辺に近づけて前後の脚体間の間隔を広げることができるので、段積み時の安定性を高めることができる。
【０００９】
尚、請求項２に記載の構成によれば、側パネル折り畳み状態での段積み時に上側パレットの各脚体を底パネルの上側各角部の露出スペースに敷設された脚体支持用プレートで支持させることができるので、一層安定的な段積みが可能になる。
【００１０】
又、底パネル上の露出スペースを形成する各側パネルの貫通領域は、側パネルの角部を切り欠いて構成することができるが、請求項３に記載のように側パネルの周囲内側に形成した窓部によって構成する場合は、側パネルの高さが高いために底パネル上に側パネルを折り畳んだときに当該側パネルの上辺角部が底パネル上の露出スペースに重なるような状況においても、側パネルの上辺角部を切り欠く必要がなくなり、組み立て状態でのボックスパレットの段積みに影響が及ぶこともなくなり、側パネルの高さに関係なく実施することができる。
【発明を実施するための最良の形態】
【００１１】
以下に本発明の好適実施形態を添付図に基づいて説明すると、図１において、１は矩形の底パネルである。２Ａ〜２Ｄは底パネル１の周囲に配置されて底パネル１上に荷収納空間を形成する側パネルであり、以下、正面の側パネル２Ａを開閉自在なゲートパネル、左右両側の互いに平行な側パネル２Ｂ，２Ｃをサイドパネル、背面の側パネル２Ｄをバックパネルと称呼する。
【００１２】
底パネル１の下側各角部には、段積み時に下側パレットの左右両サイドパネル２Ｂ，２Ｃの上辺の前後両端部に嵌合させることができる脚体３ａ，３ｂ及び４ａ，４ｂが設けられている。ゲートパネル２Ａは、下側辺に後方側へ直角に折曲されて底パネル１上に載置される折曲片５を備えたもので、当該折曲片５の端縁が底パネル１に螺旋状のヒンジコイル６により揺動自在に取り付けられている。バックパネル２Ｄは、その下側縁が底パネル１に螺旋状のヒンジコイル７により揺動自在に取り付けられ、左右両サイドパネル２Ｂ，２Ｃは、バックパネル２Ｄの左右両側辺にそれぞれ螺旋状のヒンジコイル８，９により揺動自在に取り付けられている。
【００１３】
各側パネル２Ａ〜２Ｄの高さは、ゲートパネル２Ａを取り付けているヒンジコイル６とバックパネル２Ｄを取り付けているヒンジコイル７との間の底パネル１の奥行き寸法より短く、左右両サイドパネル２Ｂ，２Ｃの巾は、底パネル１の左右横巾の半分の寸法より短い。従って、左右両サイドパネル２Ｂ，２Ｃをヒンジコイル８，９の軸心８ａ，９ａの周りに後方へ回転させてバックパネル２Ｄの背面に重ねた状態で、当該バックパネル２Ｄをヒンジコイル７の軸心７ａの周りに前方へ回転させて底パネル１の上に重ね、この上に被せるようにゲートパネル２Ａをヒンジコイル６の軸心６ａの周りに後方へ回転させることにより、全体を偏平状に折り畳むことができる。
【００１４】
上記のように各側パネル２Ａ〜２Ｄを底パネル１上に折り畳んだとき、各脚体３ａ〜４ｂの真上位置で底パネル１の上側各角部に、段積みされる上側パレットの前記脚体３ａ〜４ｂを支持する露出スペース１０ａ，１０ｂ及び１１ａ，１１ｂを形成するための貫通領域１２ａ〜１５ｂが各側パネル２Ａ〜２Ｄに設けられている。即ち、側パネル折り畳み時に前側左右一対の脚体３ａ，４ａの真上位置に重なるゲートパネル２Ａの下側辺の左右両端部には、折曲片５の左右両端部を含む貫通領域１２ａ，１２ｂが切り欠きによって設けられ、側パネル折り畳み時に後側左右一対の脚体３ｂ，４ｂの真上位置に重なる左右両サイドパネル２Ｂ，２Ｃの下側辺の後端部とバックパネル２Ｄの下側辺の左右両端部とには、貫通領域１３，１４，１５ａ，１５ｂが切り欠きによって設けられている。
【００１５】
各パネルの詳細構造を説明すると、図２〜図７に示すように、底パネル１は、左右両側辺に配置された上側開放の前後方向溝形材１６ａ，１６ｂ、両溝形材１６ａ，１６ｂの両端近傍位置を互いに連結する上側開放の左右方向溝形材１７ａ，１７ｂ、両溝形材１６ａ，１６ｂの中間１箇所又は複数箇所（図示例は１箇所）を互いに連結する上側開放の左右方向溝形材１８（この溝形材１８は省くこともできる）、これら溝形材１６ａ〜１８の上に載置固着された矩形のメッシュパネル材１９から構成され、各脚体３ａ〜４ｂは、左右両側辺の溝形材１６ａ，１６ｂと前後両側辺の溝形材１７ａ，１７ｂとのＴ字状交差部の下側に固着されている。各側パネル２Ａ〜２Ｄはメッシュパネル材２０〜２３から構成されたものであり、各メッシュパネル材１９〜２３は、縦線材１９ａ〜２３ａと横線材１９ｂ〜２３ｂとを格子状に配列すると共にその各交点を溶接により互いに固着して製造されるものである。従って、各側パネル２Ａ〜２Ｄに設けられる貫通領域１２ａ〜１５ｂは、これら各側パネル２Ａ〜２Ｄを構成するメッシュパネル材２０〜２３の縦線材２０ａ〜２３ａと横線材２０ｂ〜２３ｂとを切除することにより形成される。  
【００１６】
左右両サイドパネル２Ｂ，２Ｃの下側辺には、線材をＵ字形に曲げ加工した２つの位置決め用突出片２４ａ，２４ｂが両端寄り２箇所に下向きに固着突設され、更に左右両サイドパネル２Ｂ，２Ｃの前側辺には、線材をＵ字形に曲げ加工した上下２つのゲートパネル係止用突出片２５ａ，２５ｂが前方向きに固着突設されている。又、ゲートパネル２Ａの左右両側辺の上端部表面には、図３に示すように、左右横方向に出退自在な係止軸体２６と当該軸体２６の操作片２７とを備えたゲートロック手段２８ａ，２８ｂが取り付けられている。
【００１７】
上記構成のボックスパレットは、使用に際して図２に示すように組み立てられる。この組み立て方法を説明すると、バックパネル２Ｄに対し左右両サイドパネル２Ｂ，２Ｃをヒンジコイル軸心８ａ，９ａの周りに外側に直角前方向きに回転させると共に、当該バックパネル２Ｄを底パネル１に対してヒンジコイル軸心７ａの周りに回転させて起立させることにより、左右両サイドパネル２Ｂ，２Ｃの下側辺から下向きに突出するそれぞれ２つの位置決め用突出片２４ａ，２４ｂを、底パネル１のメッシュパネル材１９の網目を貫通させて前後方向溝形材１６ａ，１６ｂに嵌合させ、左右両サイドパネル２Ｂ，２Ｃを底パネル１の左右両側辺に沿った位置に位置決めする。
【００１８】
係る状態でゲートパネル２Ａを底パネル１に対してヒンジコイル軸心６ａの周りに回転させて起立させる。而して、左右両サイドパネル２Ｂ，２Ｃの前側辺から前方向きに突出するそれぞれ上下２つのゲートパネル係止用突出片２５ａ，２５ｂがゲートパネル２Ａのメッシュパネル材２０の左右両側辺の網目を貫通して前方に突出することになるので、左右一対のゲートロック手段２８ａ，２８ｂの軸杆２６をスライドさせて、メッシュパネル材２０の網目から前方に貫通突出する上側のゲートパネル係止用突出片２５ａに当該軸杆２６を挿通させ、ゲートパネル２Ａを起立姿勢にロックすることにより、当該ゲートパネル２Ａで左右両サイドパネル２Ｂ，２Ｃの前側辺間を閉塞する。
【００１９】
上記のように組み立てられたボックスパレットは、周囲がパネル２Ａ〜２Ｄで囲まれた底パネル１上の荷収納空間内に荷を収納した状態で、搬送や保管に利用できるが、図４に仮想線で示すように、上側パレットの各脚体３ａ〜４ｂを下側パレットの左右両サイドパネル２Ｂ，２Ｃの上側辺の前後両端近傍位置に嵌合させることにより、段積みすることができる。段積みされた状態のパレットに対し荷を出し入れする際は、ゲートパネル２Ａが備えるゲートロック手段２８ａ，２８ｂの軸杆２６を左右両サイドパネル２Ｂ，２Ｃ側のゲートパネル係止用突出片２５ａから離脱させた状態でゲートパネル２Ａを前方下側に開動させることにより、荷の出し入れをパレットの正面側から行うことができる。
【００２０】
空のボックスパレットは、上記の組み立て時と逆の手順で偏平状に折り畳むことができる。即ち、ゲートパネル２Ａが備えるゲートロック手段２８ａ，２８ｂの軸杆２６を左右両サイドパネル２Ｂ，２Ｃ側のゲートパネル係止用突出片２５ａから離脱させ、当該ゲートパネル２Ａを一旦底パネル１に対して前方に開動倒伏させる。次に、バックパネル２Ｄを後方に開動させて、左右両サイドパネル２Ｂ，２Ｃの下側辺から突出する各位置決め用突出片２４ａ，２４ｂを底パネル１から上方に離脱させると共に、左右各サイドパネル２Ｂ，２Ｃをバックパネル２Ｄに対して外側後方へ回転させて、当該バックパネル２Ｄの外側に重ねる。このバックパネル２Ｄとその外側に重ねられた左右両サイドパネル２Ｂ，２Ｃとを一体にして底パネル１の上に重ねるように、バックパネル２Ｄを前方下方に回転させる。そして最後にゲートパネル２Ａを底パネル１上に重ねるように回転させることにより、図１Ｃに示すように、底パネル１上にバックパネル２Ｄ、左右各サイドパネル２Ｂ，２Ｃ、及びゲートパネル２Ａが層状に重なった折り畳み状態とすることができる。
【００２１】
図１Ｃに示すように側パネル２Ａ〜２Ｄを底パネル１上に折り畳んだとき、底パネル１の上側各角部、即ち、各脚体３ａ〜４ｂの真上位置に露出スペース１０ａ，１０ｂ及び１１ａ，１１ｂが、各側パネル２Ａ〜２Ｄに設けられた貫通領域１２ａ〜１５ｂによって形成される。従って、図６Ａ〜図６Ｃに示すように、同様に折り畳んだ複数のパレットを、上側パレットの各脚体３ａ〜４ｂが下側パレットにおける底パネル１の上側各角部の露出スペース１０ａ〜１１ｂに載るように段積みすることができる。この段積み状態では、上側パレットの各脚体３ａ〜４ｂの内側直角両側面に下側パレットの前記露出スペース１０ａ〜１１ｂを形成する各側パネル２Ａ〜２Ｄの貫通領域１２ａ〜１５ｂの内側辺が隣接し、上側パレットの各脚体３ａ〜４ｂを前記露出スペース１０ａ〜１１ｂ内に位置決めすることになる。
【００２２】
尚、各脚体３ａ〜４ｂは、図７に示すように、板材を下広がりの角筒状に曲げ加工して成る柱部２９の下端に、側パネル組み立て状態での段積み時に下側パレットの左右両サイドパネル２Ｂ，２Ｃの上側辺に嵌合する前後方向凹溝部３０とその内側の巾の狭い平坦接地部３１とを形成する板材３２を溶接して成るもので、柱部２９の上端には、底パネル１の左右両側辺の溝形材１６ａ，１６ｂと前後両側辺の溝形材１７ａ，１７ｂとのＴ字状交差部に嵌合する切り欠きが形成され、当該切り欠きの周縁と前記溝形材１６ａ〜１７ｂとを溶接することにより取り付けられている。而して、図１Ｃに示すように各脚体３ａ〜４ｂの真上位置に形成される底パネル１の上側各角部の露出スペース１０ａ〜１１ｂ内には、図７に示すよう底パネル１のメッシュパネル材１９を構成する縦線材１９ａや横線材１９ｂが入り込まないように構成し、側パネル折り畳み状態での段積み時に当該露出スペース１０ａ〜１１ｂに支持される上側パレットの各脚体３ａ〜４ｂの平坦接地部３１が、前後両側辺の溝形材１７ａ，１７ｂの端部上に直接載置されるように構成している。勿論、これら露出スペース１０ａ〜１１ｂ内にメッシュパネル材１９を構成する縦線材１９ａや横線材１９ｂが縦断又は横断するように構成しても、上側パレットの各脚体３ａ〜４ｂに作用する荷重は、これら露出スペース１０ａ〜１１ｂ内の線材１９ａ，１９ｂを介して前後両側辺の溝形材１７ａ，１７ｂや左右両側辺の溝形材１６ａ，１６ｂで受け止められることになり、露出スペース１０ａ〜１１ｂ内の線材１９ａ，１９ｂが下向きに曲げ変形を受ける恐れはない。
【００２３】
又、図８に示すように、側パネル折り畳み状態での段積み時に上側パレットの各脚体３ａ〜４ｂを支持する底パネル１の上側各角部の露出スペース１０ａ〜１１ｂに脚体支持用プレート３３を敷設して、一層安定的に上側パレットの各脚体３ａ〜４ｂを支持できるように構成することもできる。
【００２４】
上記実施形態で説明したボックスパレット全体の構成は一例に過ぎず、これに限定されるものではない。例えば、左右両サイドパネル２Ｂ，２Ｃの巾を広くして、当該左右両サイドパネル２Ｂ，２Ｃをバックパネル２Ｄに重ねるように折り畳んだとき、両サイドパネル２Ｂ，２Ｃが互いに重なり合うように構成しても良い。又、ゲートパネル２Ａはあってもなくても良いし、設けられる場合でも、その構成は、上記実施形態に示した構造のものに限定されない。例えば、ゲートパネル２Ａを、互いにヒンジコイルで折り畳み可能に連結した上下２段のゲートから構成することもできる。ゲートパネル２Ａが使用されない場合、左右両サイドパネル２Ｂ，２Ｃの前側辺間に棒状体などを着脱自在に架設することができる。更に、底パネル１は、強度部材から成るベースフレーム上に板材を張設したものであっても良い。勿論、各側パネル２Ａ〜２Ｄも、メッシュパネル材から構成されるものに限定されない。
【００２５】
又、上記実施形態では、図1に示すように、側パネル２Ａ〜２Ｄの高さが底パネル１の左右両側辺（左右両サイドパネル２Ｂ，２Ｃが立ち上がる側辺）の長さに対して十分に短いものであるため、これら側パネル２Ａ〜２Ｄを底パネル１の上に折り畳んだとき、これら側パネル２Ａ〜２Ｄの上辺角部は、底パネル１の四隅上側の露出スペース１０ａ〜１１ｂ上に重ならないが、図９Ａに示すように、側パネル２Ａ〜２Ｄの高さが、バックパネル２Ｄをゲートパネル２Ａの折曲片５の内側に折り畳める最大高さ、又はこれに近い高さである場合、これら側パネル２Ａ〜２Ｄを底パネル１の上に折り畳んだとき、これら側パネル２Ａ〜２Ｄの上辺角部も、底パネル１の四隅上側の露出スペース１０ａ〜１１ｂ上に重なることになる。従って、側パネル２Ａ〜２Ｄの上辺角部にも先に説明した貫通領域１２ａ〜１５ｂを設ける必要がある。
【００２６】
而して図９Ａには、展開状態の各側パネル２Ａ〜２Ｄに、これら各側パネル２Ａ〜２Ｄを先に説明した手順で底パネル１の上に折り畳んで重ねた状態での段積み時に上段パレットの各脚体３ａ〜４ｂ（接地部３１）に重なる領域を示しているが、この図から明らかなように、ゲートパネル２Ａには先に説明した貫通領域１２ａ，１２ｂの他に上辺両角部に貫通領域３５ａ，３５ｂが必要であり、サイドパネル２Ｂ，２Ｃには、先に説明した貫通領域１５ａ，１５ｂの他に上辺片側角部に貫通領域３６ａ，３６ｂが必要であり、そしてバックパネル２Ｄには、先に説明した貫通領域１３，１４の他に上辺両角部に貫通領域３７ａ，３７ｂが必要である。
【００２７】
図９Ａに示す各貫通領域１２ａ〜１５ｂ，３５ａ〜３７ｂの内、貫通領域１２ａ，１２ｂ，３６ａ〜３７ｂは、上記の折り畳み状態でのパレット段積み時に上段パレットの各脚体３ａ〜４ｂ（接地部３１）の一部分が平面視において外側にはみ出すのを許すために一部が横側方に開放されていなければならないのに対し、他の貫通領域１３〜１５ｂ，３５ａ，３５ｂは、上段パレットの各脚体３ａ〜４ｂ（接地部３１）の全体が平面視においてパネルの内側に納まるので、図９Ｂ，Ｃに示すように、前者の貫通領域１２ａ，１２ｂ，３６ａ〜３７ｂは、先の実施形態で説明したようにパネルの角部を切り欠いて構成する必要があり、後者の貫通領域１３〜１５ｂ，３５ａ，３５ｂは、パネルの角部内側に形成した窓部で構成することができる。
【００２８】
パネルの角部内側に形成した窓部で貫通領域１３〜１５ｂ，３５ａ，３５ｂを構成する場合、図９Ｂに示すように、メッシュパネル材２０〜２３を構成する縦線材２０ａ〜２３ａと横線材２０ｂ〜２３ｂを、少なくともメッシュパネル材２０〜２３の周囲を構成する縦線材及び横線材を除いて部分的に切除して構成するか又は、図９Ｃに示すように、メッシュパネル材２０〜２３を構成する縦線材２０ａ〜２３ａと横線材２０ｂ〜２３ｂの貫通領域１３〜１５ｂ，３５ａ，３５ｂを構成する領域でのピッチを、当該貫通領域１３〜１５ｂ，３５ａ，３５ｂの巾及び高さ相当に広げて構成することができる。前者のように縦線材及び横線材を部分的に切除する方法や、貫通領域１２ａ，１２ｂ，３６ａ〜３７ｂのようにパネルの角部を切り欠いて構成する方法では、パネル全体の強度の大幅な低下を防ぐことができ、後者のように縦線材及び横線材のピッチを部分的に広げる方法では、線材切除のための工程が不要になるので製造コストを下げることができる。
【図面の簡単な説明】
【００２９】
【図１】Ａ図〜Ｃ図は本発明一実施形態に係るパレットの側パネル折り畳み手順を示す概略図であって、Ａ図は斜視図、Ｂ図及びＣ図は平面図である。
【図２】本発明一実施形態に係るパレットの詳細を示す斜視図である。
【図３】同パレットの底パネルとゲートパネルとを示す正面図である。
【図４】同パレットの底パネルと片側のサイドパネルとを示す側面図である。
【図５】同パレットの底パネルと左右両サイドパネルの一部分とを示す背面図である。
【図６】側パネル折り畳み状態での段積みを説明する図であって、Ａ図は正面図、Ｂ図は側面図、Ｃ図は背面図である。
【図７】Ａ図は底パネルの一部分を示す平面図であり、Ｂ図は１つの脚体と底パネルの一部分を示す縦断正面図であり、Ｃ図はＢ図のＸ−Ｘ線断面図である。
【図８】別の実施形態における底パネルの一部分を示す平面図であり、Ｂ図はその１つの脚体と底パネルの一部分を示す縦断正面図であり、Ｃ図は同縦断側面図である。
【図９】Ａ図は別の実施形態における底パネルの展開状態を示す平面図であり、Ｂ図及びＣ図はその具体構造を説明する要部の拡大平面図である。
【符号の説明】
【００３０】
１    底パネル
２Ａ    ゲートパネル（側パネル）
２Ｂ，２Ｃ    サイドパネル（側パネル）
２Ｄ    バックパネル（側パネル）
３ａ〜４ｂ    脚体
６〜９    螺旋状のヒンジコイル
１０ａ〜１１ｂ    底パネル上側各角部の露出スペース
１２ａ〜１５ｂ，３５ａ〜３７ｂ    側パネルの貫通領域
１６ａ，１６ｂ    底パネルの前後方向溝形材
１７ａ，１７ｂ，１８    底パネルの左右方向溝形材
１９〜２３    メッシュパネル材
２８ａ，２８ｂ    ゲートロック手段
【図１】
2005075364.tif 000003
【図２】
2005075364.tif 000004
【図３】
2005075364.tif 000005
【図４】
2005075364.tif 000006
【図５】
2005075364.tif 000007
【図６】
2005075364.tif 000008
【図７】
2005075364.tif 000009
【図８】
2005075364.tif 000010
【図９】
2005075364.tif 000011